(57)【要約】【課題】簡単に製造ができ、しかも様々な用途に容易に適用することができる身体刺激シートを提供すること。【解決手段】フラットな多孔性シート１２とコルゲート加工された多孔性シート１３とを上下に積層して一体化した積層構造体１４の凹部１５内に活性炭粒子１６が充填された活性炭シート１７と、前記活性炭シート１７を被覆する布製被覆材１８とからなる。【選択図】　　図１
2004105628.tif 000002
【特許請求の範囲】
【請求項１】
コルゲート加工された多孔性シートを積層した積層構造体の凹部内に活性炭粒子が充填された活性炭シートと、前記活性炭シートを被覆する布製被覆材とからなる身体刺激シート。
【請求項２】
活性炭シート表面に多数の活性炭粒子を固めた活性炭塊状物が固着していることを特徴とする請求項１記載の身体刺激シート。
【請求項３】
活性炭粒子が、炭化率９０％以上、比表面積１７００ｍ２／ｇ以上の椰子殻活性炭粒子であることを特徴とする請求項１または２記載の身体刺激シート。
【請求項４】
活性炭シート上に多数の磁石が固着していることを特徴とする請求項１または２記載の身体刺激シート。
【請求項５】
多孔性シート及びまたは布製被覆材が抗菌剤を含んでいることを特徴とする請求項１〜４のいずれかに記載の身体刺激シート。
【発明の詳細な説明】
【０００１】
【発明の属する技術分野】
本発明は活性炭粒子を用いた身体刺激シートに関する。詳細には頭部、腰部、手首、足首などの身体に巻き付けるベルト、アイマスク、スリッパ、寝具用シーツ、枕カバーなどに適用される身体刺激シートに関する。
【０００２】
【従来の技術】
従来の身体刺激材としては、以下のものがある。
この身体刺激材は、図１１に示すように、発泡プラスチックシート製の小形ケース２内に炭３を封入した小形炭入れクッション４で凸部を形成した頭部背後部の圧接刺激用凹凸形マット１であり、このマット１を枕として使用したとき、マット１の小形ケース２内に炭３を封入した小形炭入れクッション４からなる凸部が頭部背後部に当接し、背後部を刺激すると共に、クッション４内の炭が身体から出る汗や臭いを吸収するようになっている（例えば特許文献１参照）。
【０００３】
【特許文献１】
特開平１０−９４５８０号公報（第２頁段落番号０００４〜０００８、図２）
【０００４】
【発明が解決しようとする課題】
ところがこのマット１にあっては、発泡プラスチックシート製の小形ケース２内に炭３を封入して小形炭入れクッション４を形成すると共に、この小形炭入れクッション４をマット地５上面に装着するための多数の装着穴６を形成しなければならず、その製造には多くの手間と時間とを必要としていた。
【０００５】
またこのマット１にあっては、例えば腰部、手首、足首などに巻き付けるなどの用途に容易に適用することができなかった。
【０００６】
本発明は、簡単に製造ができ、しかも様々な用途に容易に適用することができる身体刺激シートを提供することを目的とするものである。
【０００７】
【課題を解決するための手段】
上記目的を達成するため、請求項１記載の発明は、コルゲート加工された多孔性シートを積層した積層構造体の凹部内に活性炭粒子が充填された活性炭シートと、前記活性炭シートを被覆する布製被覆材とからなる身体刺激シートをその要旨とした。
【０００８】
請求項２記載の発明は、活性炭シート表面に多数の活性炭粒子を固めた活性炭塊状物が固着していることを特徴とする請求項１記載の身体刺激シートをその要旨とした。
【０００９】
請求項３記載の発明は、活性炭粒子が、炭化率９０％以上、比表面積１７００ｍ２／ｇ以上の椰子殻活性炭粒子であることを特徴とする請求項１または２記載の身体刺激シートをその要旨とした。
【００１０】
請求項４記載の発明は、活性炭シート上に多数の磁石が固着していることを特徴とする請求項１または２記載の身体刺激シートをその要旨とした。
【００１１】
請求項５記載の発明は、多孔性シート及びまたは布製被覆材が抗菌剤を含んでいることを特徴とする請求項１〜４のいずれかに記載の身体刺激シートをその要旨とした。
【００１２】
【発明の実施の形態】
以下、本発明の身体刺激シートを図面に従って詳細に説明する。図１に示すように、本発明の身体刺激シート１１は、頭部、腰部、手首、足首など身体に巻き付けるベルト、アイマスク、スリッパ、寝具用シーツ、枕カバーなどに適用されるものであり、活性炭シート１７と、前記活性炭シート１７を被覆する布製被覆材１８とからなる。
【００１３】
活性炭シートは、コルゲート加工された多孔性シートを積層した積層構造体の凹部内に活性炭粒子が充填されたものである。図１に示す活性炭シート１７は、フラットな多孔性シート１２とコルゲート加工された多孔性シート１３とを上下に積層して一体化した積層構造体１４における凹部１５内に活性炭粒子１６を充填したものである。
【００１４】
多孔性シート１２、１３としては多孔質で通気性を有するものであるならば特に限定されないが、例えば不織布、紙、布などの繊維シートや、ポリテトラフルオロエチレンや高分子量ポリエチレンなどからなる種々の微多孔性膜を用いることができる。この多孔性シート１３がコルゲート加工され、積層一体化されて凹凸状の立体形状を呈している。
【００１５】
コルゲート加工は、公知のコルゲートマシーンを使用して、このシートをコルゲートマシーンの段ロールに掛けることにより、そのシートがコルゲート加工される。
【００１６】
これら多孔性シート１２、１３による積層構造体１４は、図１に示す形態の他、１枚のフラットな多孔性シート１２の上下にコルゲート加工された２枚の多孔性シート１３を積層して一体化させたり、コルゲート加工された多孔性シート１３を上下に積層して一体化させたりするなどの形態を採ることができる。
【００１７】
積層構造体１４における凹部１５内に充填される活性炭粒子１６としては、特に限定されないが、活性炭粒子が持つ機能、例えば脱臭効果、遠赤外線効果、マイナスイオン効果に優れるという点から、椰子殻活性炭粒子が好ましく、特には炭化率９０％以上、比表面積１７００ｍ２／ｇ以上の椰子殻活性炭粒子が好ましい。
【００１８】
布製被覆材１８は、前記活性炭シート１７を被覆した状態で、身体の所望の位置に当てられるように保持するものであり、身体に密着するようにフレキシブルであり、かつ通気性に優れるものが好ましい。具体的には織物、編物、不織布、紙、フェルト、穴あきフィルムあるいはこれらの複合物を挙げることができる。
【００１９】
図１に示す形態は、前述の活性炭シート１７を布製被覆材１８（織物）で被覆したものであり、これを身体Ｂに当てたとき、活性炭シート１７の積層構造体１４の凹凸による柔らかな圧接刺激が身体Ｂに伝わるようになっている。また、身体刺激シート１１を身体Ｂに当てることで、積層構造体１４の凹部１５内に充填される活性炭粒子１６が、身体Ｂの汗や体臭の粒を吸着除去するようになっている。
【００２０】
また、積層構造体１４の凹部１５内に充填される活性炭粒子１６からは、遠赤外線及びマイナスイオンを発生しており、これらが多孔性シート１２、１３及び布製被覆材１８（織物）を通して身体Ｂに伝わり、身体Ｂに遠赤外線効果及びマイナスイオン効果が現れるようになっている。
【００２１】
図２に示す形態は、フラットな多孔性シート１２とコルゲート加工された多孔性シート１３とを上下に積層して一体化した積層構造体１４における凹部１５内に活性炭粒子１６を充填した活性炭シート１７であって、その上面に多数の活性炭粒子１６を固めて塊状とした活性炭塊状物１９を固着させたものである。
【００２２】
活性炭塊状物１９を固着した活性炭シート１７は、これを布製被覆材１８で被覆して身体刺激シート１１とし、これを身体Ｂに適用すると、活性炭シート１７の積層構造体１４の凹凸による柔らかな圧接刺激とともに、活性炭塊状物１９の強い圧接刺激が身体Ｂに伝わるようになる。
【００２３】
尚、活性炭塊状物１９に代えて活性炭シート１７表面に多数の磁石を固着させることもできる。この場合、この活性炭シート１７を用いて身体刺激シート１１を作製すると、これを身体Ｂに当てたとき、活性炭シート１７の積層構造体１４の凹凸による柔らかな圧接刺激とともに、磁石による強い圧接刺激と磁力線効果が身体Ｂに伝わるようになっている。
【００２４】
尚、身体刺激シート１１を頭部、腰部、手首、足首など身体に巻き付けるベルト、アイマスク、スリッパ、寝具用シーツ、枕カバーなどに適用するとき、これらを身体に当てたときに、上記活性炭塊状物１９や磁石の位置が、身体のつぼに当たる位置となるように配置するとよい。
【００２５】
尚、活性炭シートを構成する多孔性シートや布製被覆材には抗菌剤を含ませることができる。抗菌剤としては特に限定されないが、銀、銅などの金属系抗菌成分をゼオライトなどの担体に担持させた無機系抗菌剤が人体に悪影響を及ぼし難いという点から好ましい。多孔性シートや布製被覆材に抗菌剤を含ませた場合、活性炭粒子による脱臭効果に加え、多孔性シートや布製被覆材に含まれる抗菌剤が臭いの原因となる細菌の繁殖を抑制するので、より効果的な悪臭の除去ができるようになる。
【００２６】
次に、本発明の身体刺激シートを身体に適用した具体例を示す。図３には、本発明の身体刺激シートをバンダナ２０、アイマスク３０、シャツ４０、腰部のウエストベルト５０、手首に巻くリストバンド６０、踝、足首に巻き付けるベルト７０に適用した例を示した。
【００２７】
図４に示すウエストベルト５０は、２枚の身体刺激シート１１と、これらを繋ぐ長さ調節用ゴム５１と、該ウエストベルト５０を身体Ｂの腰部に巻き付けたとき、この状態で両端部を連結する連結ベルト５２とからなる。連結ベルト５２の先端には雄または雌の面ファスナー５３Ａが取り付けてあり、その先端が重なる身体刺激シート１１の端部に取り付けた雌または雄の面ファスナー５３Ｂと係合して、連結ベルト５２の先端が身体刺激シート１１の端部に所望の重なり幅（長さ）で固定されるようになっている。尚、この形態では、図１に示す身体刺激シート１１と、図２に示す活性炭塊状物を固着した身体刺激シート１１とを用いた。
【００２８】
このように、２種の身体刺激シート１１を用いたウエストバンド５０を身体に装着したとき、図３及び図４に示すように、活性炭シート１７の凹凸による柔らかな圧接刺激と活性炭塊状物１９の強い圧接刺激が身体Ｂに伝わるようになっている。また、身体刺激シート１１を身体Ｂに当てることで、活性炭シート１７内に充填される活性炭粒子１６が、身体Ｂの汗や体臭の粒を吸着除去するようになっている。
【００２９】
活性炭シート１７の積層構造体の凹部内に充填される活性炭粒子からは、遠赤外線及びマイナスイオンを発生しており、これらが多孔性シート及び布製被覆材（織物）を通して身体Ｂに伝わり、身体Ｂに遠赤外線効果及びマイナスイオン効果が現れるようになっている。
【００３０】
また、図４に示す例では、身体刺激シート１１の活性炭シート１７に固着させた活性炭塊状物１９をへその位置となるように設けている。へそには多くのつぼが集まっており、ここへ活性炭塊状物１９による強い刺激が加わることにより指圧効果が期待できる。
【００３１】
図８は手首に巻くリストバンド７０を示し、図５は踝、足首に巻き付けるベルト６０を示している。図８のリストバンド６０及び図５のベルト７０のいずれも、図２に示す活性炭塊状物１９を固着した身体刺激シート１１を用い、この身体刺激シート１１の一端に連結ベルト６２または７２を取り付けたものである。この連結ベルト６２または７２の先端には雄または雌の面ファスナー６３Ａまたは７３Ａが取り付けられている。そして、図３、及び図８または図５に示すように、該リストバンド６０またはベルト７０を、それぞれ手首または踝、足首に巻き付け、身体刺激シート１１の他端に取り付けた雌または雄の面ファスナー６３Ｂまたは７３Ｂと係合させることで、該リストバンド６０またはベルト７０の装着ができるようになっている。
【００３２】
リストバンド６０またはベルト７０を身体Ｂに装着した時の作用効果は、これらを装着した身体（手首または踝、足首）に、身体刺激シート１１の凹凸による柔らかな圧接刺激と活性炭塊状物１９による強い圧接刺激が加わり、さらに活性炭粒子による脱臭効果、マイナスイオン効果、遠赤外線効果がこれに加わるようになっている。
【００３３】
図６は、図２に示す活性炭塊状物を固着した身体刺激シート１１を用いて、これをアイマスク３０に適用した例を示すものである。図６に示すように、このアイマスク３０は、身体刺激シート１１の両端を長さ調節用ゴム３１で繋いだものである。この場合も同様に、これを装着した身体Ｂ（顔面、特に目部）に、身体刺激シート１１の凹凸による柔らかな圧接刺激と活性炭塊状物１９による強い圧接刺激が加わり、さらに活性炭粒子による脱臭効果、マイナスイオン効果、遠赤外線効果がこれに加わるようになっている。
【００３４】
また、図６に示す例では、身体刺激シート１１の活性炭シート１７に固着させた活性炭塊状物１９をまぶたの位置となるように設けている。まぶたには多くのつぼが集まっており、ここへ活性炭塊状物１９による強い刺激が加わることにより指圧効果が期待できる。
【００３５】
図７は、図２に示す活性炭塊状物を固着した身体刺激シート１１を用いたバンダナ（はちまき）２０を示すものである。この場合も同様に、これを装着した身体Ｂ（頭部）に、身体刺激シート１１の凹凸による柔らかな圧接刺激と活性炭塊状物１９による強い圧接刺激が加わり、さらに活性炭粒子による脱臭効果、マイナスイオン効果、遠赤外線効果がこれに加わるようになっている。
【００３６】
また、図７に示す例では、身体刺激シート１１の活性炭シート１７に固着させた活性炭塊状物１９をこめかみの位置となるように設けている。こめかみには多くのつぼが集まっており、ここへ活性炭塊状物１９による強い刺激が加わることにより指圧効果が期待できる。
【００３７】
図９は、図２に示す身体刺激シート１１を寝具用シーツ９０に適用したものであり、図１０は、図２に示す身体刺激シート１１をスリッパ８０に適用したものである。
【００３８】
図９に示す寝具用シーツ９０の場合、このシーツ９０上に寝たとき、身体Ｂに身体刺激シート１１の凹凸による柔らかな圧接刺激と活性炭塊状物１９による強い圧接刺激が加わり、さらに活性炭粒子による脱臭効果、マイナスイオン効果、遠赤外線効果がこれに加わるようになっている。
【００３９】
また、人は睡眠時には何度も寝返りを繰り返すが、このシーツ９０を利用した場合には、寝返りの度毎に身体刺激シート１１の凹凸及び活性炭塊状物１９の当たる位置が変わり、身体Ｂの様々な部分のつぼが刺激されることになる。
【００４０】
図１０に示すスリッパ８０の場合、土踏まずの位置に身体刺激シート１１が配されており、スリッパ８０を利用するたび毎に身体刺激シート１１の凹凸による柔らかな圧接刺激と活性炭塊状物１９による強い圧接刺激が加わるようになっている。特に土踏まずには、多くのつぼが集まっており、ここへ活性炭塊状物１９による強い刺激が加わることにより指圧効果が期待できる。
【００４１】
また、スリッパ８０を履くときに、活性炭粒子による脱臭効果により足の臭いが吸着除去され、さらに遠赤外線効果により温熱効果で冷え性にも効果的である。
【００４２】
尚、本発明の身体刺激シート１１は、上に例示したものに限らず、枕カバーや靴の下敷きなどにも適用することができる。
【００４３】
【発明の効果】
本発明の身体刺激シートは、コルゲート加工された多孔性シートを積層した積層構造体の凹部内に活性炭粒子が充填された活性炭シートと、前記活性炭シートを被覆する布製被覆材とからなるので、簡単に製造ができ、しかも様々な用途に容易に適用することができる。
【図面の簡単な説明】
【図１】本発明の身体刺激シートを示す要部拡大断面図。
【図２】本発明の身体刺激シートの別例を示す要部拡大断面図。
【図３】本発明の身体刺激シートを身体に適用した例を示す斜視図。
【図４】本発明の身体刺激シートをウエストベルトに適用した例を示す斜視図。
【図５】本発明の身体刺激シートを踝、足首に巻き付けるベルトに適用した例を示す斜視図。
【図６】本発明の身体刺激シートをアイマスクに適用した例を示す斜視図。
【図７】本発明の身体刺激シートをバンダナに適用した例を示す斜視図。
【図８】本発明の身体刺激シートをリストバンドに適用した例を示す斜視図。
【図９】本発明の身体刺激シートを寝具用シーツに適用した例を示す平面図。
【図１０】本発明の身体刺激シートをスリッパに適用した例を示す斜視図。
【図１１】従来の身体刺激シートを示す要部拡大断面図。
【符号の説明】
１２、１３・・・多孔性シート
１４・・積層構造体
１５・・・凹部
１６・・・活性炭粒子
１７・・・活性炭シート
１８・・・布製被覆材
１９・・・活性炭塊状物
【図１】
2004105628.tif 000003
【図２】
2004105628.tif 000004
【図３】
2004105628.tif 000005
【図４】
2004105628.tif 000006
【図５】
2004105628.tif 000007
【図６】
2004105628.tif 000008
【図７】
2004105628.tif 000009
【図８】
2004105628.tif 000010
【図９】
2004105628.tif 000011
【図１０】
2004105628.tif 000012
【図１１】
2004105628.tif 000013